(57)【特許請求の範囲】
【請求項１】
断面コ字型の既設ケースに新設カバーを取り付け、この新設カバーの内側にプリント板および表示部を設けた乗り場インジケータのリニューアル方法において、
前記新設カバーは前記既設ケースの表面側に向かって突出する断面コ字型に形成され、この新設カバーの内側にプリント板及び表示部を取り付けるとともに、この新設カバーを既設ケースの上下部にそれぞれ配置される既設カバー取付部に、ねじを介して螺合して取り付けたことを特徴とする乗り場インジケータのリニューアル方法。
【発明の詳細な説明】
【０００１】
【発明の属する技術分野】
本発明はエレベータの乗り場に配設される乗り場インジケータのリニューアル方法に関する。
【０００２】
【従来の技術】
近年、数十年稼働したエレベータを最新型の機種にリニューアルし、スピードや意匠性の向上を図ることが盛んに行われるようになってきた。このリニューアルでは、エレベータの全てを一新する方法や、巻上機等を流用して制御方式だけを更新する部分リニューアルなど多岐の方法が提案されている。部分リニューアルの一例としては、特開平５−８９６５号公報に記載されているように巻上機を流用してエレベータの制御方式をマイコンインバータ化するものが知られており、短い工期でエレベータの信頼性を大幅に向上することができる。
【０００３】
ところで、一般的に既設のエレベータは数十年前に設置したものであり、乗り場インジケータは、正面図およぴその水平断面である図４および図５に示すように断面コ字型のケース２と、平板で形成された階床表示部８を有するカバー７から構成され、ケース２内に取り付けたランプ９によって階床表示部８の各階床を表示するようにしていた。一方、最新型のエレべータはマイコン制御方式が主流であり、乗り場インジケータも正面図およびその水平断面である図６および図７に示すようにマイコン化され、ジスタントピース１１で支えたプリント板３に組み込んだ一つの表示部４で各階床を表示するように構成している。
【０００４】
【発明が解決しようとする課題】
上述した部分リニューアルにおいて、乗り場インジケータの交換にまで言及したものはないが、図４および図５に示した既設乗り場インジケータを図６および図７に示した新設乗り場インジケータに交換することも考えられる。しかしながら、上述した新設の乗り場インジケータは、プリント板３の寸法Ｌ２が既設の乗り場インジケータのケース２の寸法Ｌ１より大きく、この既設ケース２内に収納することができない。従って、乗り場インジケータをリニューアルしようとするには、既設ケース２を壁から撒去し、壁をはつるなどして新設ケース１０を付け直す必要があり、作業が大掛かりとなるために工期が長く費用も高くなってしまう。
【０００５】
本発明の目的は、最新型のものに容易に更新することができると共に、工期および工費を抑えることができるようにした乗り場インジケータのリニューアル方法を提供することにある。
【０００６】
【課題を解決するための手段】
上述した目的を達成するために本発明は、断面コ字型の既設ケースに新設カバーを取り付け、この新設カバーの内側にプリント板および表示部を設けた乗り場インジケータのリニューアル方法において、前記新設カバーは前記既設ケースの表面側に向かって突出する断面コ字型に形成され、この新設カバーの内側にプリント板及び表示部を取り付けるとともに、この新設カバーを既設ケースの上下部にそれぞれ配置される既設カバー取付部に、ねじを介して螺合して取り付けたことを特徴とする。
【０００７】
本発明の乗り場インジケータのリニューアル方法は、上述したように新設カバーを既設ケースの表面側に向かって突出する断面コ字型に形成し、この新設カバーの内側にプリント板および表示部を取り付け、このようにした新設カバーを既設カバー取付部に取り付けるようにしたため、既設ケースを交換することなく容易にリニューアルを行なうことができ、交換作業時時の工費および工期を抑えることができる。
【０００８】
【発明の実施の形態】
以下、本発明の実施の形態を図面に基づいて説明する。
【０００９】
図１、図２および図３は、本発明の一実施の形態による乗り場インジケータのリニューアル方法を説明する水平断面図、正面図および縦断面図である。
【００１０】
既設ケース２は既設インジケータを構成するものであり、この既設ケース２の正面側に新設カバー１を配置しており、図３に示した既設ケース２の上下部にそれぞれ設けていた既設カバー取付部２ａに、図２および図３に示すねじ６をそれぞれ螺合して取り付けている。この新設カバー１は既設カバー２の表面側に向かって突出する断面コ字型に形成してあり、その中央部にはプリント板３に組み込んだ表示部４を配置し、新設カバー１の内側に設けた図示しないスタッドボルトでジスタントピース５を介してプリント板３および表示部４を新設カバー１に取り付けている。ここで、図１に示した新設カバー１の厚さＬ３は１０ｍｍ以上とし、プリント板３および表示部４の厚みよりも大きくなるよう設定している。
【００１１】
図４および図５に示した既設のランプ式乗り場インジケータを、新設の乗り場インジケータにリニューアルする場合、図１および図３に示すように既設ケース２を壁から取り外すことなく、階床表示部８を有するカバー７やランプ９を取り外し、残った既設ケース２を利用する。プリント板３に組み込んだ表示部４を有する新設カバー１は、表面側に突出する断面コ字型に形成して、この新設カバー１の内側にプリント板３および表示部４を収納するようにしているため、既設カバー７の取り付け用として利用していたカバー取付部２ａにねじ６で新設カバー１を取り付けると、特に、プリント板３は新設カバー１の裏面と既設ケース２間に位置することになり、プリント板３および表示部４が既設ケース２と干渉することはない。
【００１２】
従って、プリント板３および表示部４はカバー１の厚みの中に収容されているため、プリント板３の寸法Ｌ２が既設ケース２の寸法Ｌ１より大きくても、従来のように既設ケース２を壁から撒去し、壁をはつるなどして新設ケース１０を付け直す必要がなくなり、作業が簡単で工期が短くなり費用も安く抑えることができるようになる。このようにして簡単に工事が行なえるため、エレベータのリニューアルの際に乗り場インジケータまで作業を行なって意匠性を向上させることができる。
【００１３】
【発明の効果】
以上説明したように本発明の乗り場インジケータのリニューアル方法は、既設ケースの既設カバー取付部に取付けられる新設カバーが、既設ケースの表面側に向かって突出する断面コ字型に形成され、この新設カバーの内側にプリント板および表示部を取り付けるようにしたため、既設ケースを交換することなく既設ケースに新設カバーを取り付けて容易にリニューアルを行なうことができ、交換作業時時の工費および工期を抑えることができる。
【図面の簡単な説明】
【図１】  本発明の一実施の形態による乗り場インジケータののリニューアル方法を説明する水平断面図である。
【図２】  図１に示した乗り場インジケータの正面図である。
【図３】  図１に示した乗り場インジケータの縦断面図である。
【図４】  従来の乗り場インジケータを示す正面図である。
【図５】  図４に示した乗り場インジケータの水平断面図である。
【図６】  最新型の乗り場インジケータを示す正面図である。
【図７】  図６に示した乗り場インジケータの水平断面図である。
【符号の説明】
１  新設カバー
２  既設ケース
３  プリント板
４  表示部
【図１】
0003797811.tif 000002
【図２】
0003797811.tif 000003
【図３】
0003797811.tif 000004
【図４】
0003797811.tif 000005
【図５】
0003797811.tif 000006
【図６】
0003797811.tif 000007
【図７】
0003797811.tif 000008